(57)【要約】  ユーザ端末は、第１セルにおいて第２セル又は特定Bandwidth  Part（ＢＷＰ）の設定グラントタイプ２又は下りリンクSemi-Persistent  Scheduling（ＤＬ  ＳＰＳ）の設定がアクティベートされることを指示する第１下り制御情報を受信し、第２下り制御情報を受信する受信部と、前記第２下り制御情報の特定フィールドの値に基づいて、前記設定がディアクティベートされるとみなす制御部と、を有する。本開示の一態様によれば、下り制御情報によって設定グラント又はＤＬ  ＳＰＳを適切に制御することができる。
2020144869.tif 000002
【特許請求の範囲】
【請求項１】
第１セルにおいて第２セル又は特定Bandwidth  Part（ＢＷＰ）の設定グラントタイプ２又は下りリンクSemi-Persistent  Scheduling（ＤＬ  ＳＰＳ）の設定がアクティベートされることを指示する第１下り制御情報を受信し、第２下り制御情報を受信する受信部と、
前記第２下り制御情報の特定フィールドの値に基づいて、前記設定がディアクティベートされるとみなす制御部と、を有することを特徴とするユーザ端末。
【請求項２】
前記第２下り制御情報は、キャリア指示フィールド及びＢＷＰ指示フィールドの少なくとも１つを含むことを特徴とする請求項１に記載のユーザ端末。
【請求項３】
前記制御部は、前記特定フィールドの値が特別値である場合、前記設定がディアクティベートされるとみなし、
前記特定フィールドは、周波数ドメインリソース割り当てフィールドを含み、
前記周波数ドメインリソース割り当てフィールドの特別値は、上位レイヤシグナリングによって設定されるリソース割り当てタイプに基づくことを特徴とする請求項２に記載のユーザ端末。
【請求項４】
前記第２下り制御情報は、キャリア指示フィールド及びＢＷＰ指示フィールドを含まず、
前記制御部は、スケジュールされ得る全てのセル又はスケジュールされ得る全てのＢＷＰにおける前記設定がディアクティベートされるとみなすことを特徴とする請求項１に記載のユーザ端末。
【請求項５】
前記第２下り制御情報は、キャリア指示フィールド及びＢＷＰ指示フィールドを含まず、
前記制御部は、多くとも１つのセル又は多くとも１つのＢＷＰに対して前記設定が行われると想定することを特徴とする請求項１に記載のユーザ端末。
【請求項６】
第１セルにおいて第２セル又は特定Bandwidth  Part（ＢＷＰ）の設定グラントタイプ２又は下りリンクSemi-Persistent  Scheduling（ＤＬ  ＳＰＳ）の設定がアクティベートされることを指示する第１下り制御情報を受信し、第２下り制御情報を受信する工程と、
前記第２下り制御情報の特定フィールドの値に基づいて、前記設定がディアクティベートされるとみなす工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。【０００４】
既存のＬＴＥシステム（例えば、ＬＴＥ  Ｒｅｌ．８−１４）では、ユーザ端末（User  Equipment（ＵＥ））は、下り制御チャネル（例えば、Physical  Downlink  Control  Channel（ＰＤＣＣＨ））を介して伝送される下り制御情報（Downlink  Control  Information（ＤＣＩ）、ＤＬアサインメント等ともいう）に基づいて、下り共有チャネル（例えば、Physical  Downlink  Shared  Channel（ＰＤＳＣＨ））の受信を制御する。また、ユーザ端末は、ＤＣＩ（ＵＬグラント等ともいう）に基づいて、上り共有チャネル（例えば、Physical  Uplink  Shared  Channel（ＰＵＳＣＨ））の送信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
ＮＲでは、動的グラント（dynamic  grant）を用いるスケジューリングと、設定グラント（configured  grant）を用いるスケジューリングと、が検討されている。【０００７】
また、１つのセル又は一つの帯域幅部分（Bandwidth  Part：ＢＷＰ）の下り制御情報に基づいて、別のセル又はＢＷＰのスケジューリングを行うことも検討されている。【０００８】
しかしながら、別のセル又はＢＷＰにおける設定グラントの制御が明らかでない。同様の問題は、下り（ＤＬ）における下り共有チャネル（ＰＤＳＣＨ：Physical  Downlink  Shared  Channel）のセミパーシステントスケジューリング（ＳＰＳ：Semi-Persistent  Scheduling）の適用時にも生じ得る。【０００９】
そこで、本開示は、下り制御情報によって設定グラント又はＤＬ  ＳＰＳを適切に制御するユーザ端末及び無線通信方法を提供することを目的の１つとする。
【課題を解決するための手段】
【００１０】
本開示の一態様に係るユーザ端末は、第１セルにおいて第２セル又は特定Bandwidth  Part（ＢＷＰ）の設定グラントタイプ２又は下りリンクSemi-Persistent  Scheduling（ＤＬ  ＳＰＳ）の設定がアクティベートされることを指示する第１下り制御情報を受信し、第２下り制御情報を受信する受信部と、前記第２下り制御情報の特定フィールドの値に基づいて、前記設定がディアクティベートされるとみなす制御部と、を有することを特徴とする。
【発明の効果】
【００１１】
本開示の一態様によれば、下り制御情報によって設定グラント又はＤＬ  ＳＰＳを適切に制御することができる。
【図面の簡単な説明】
【００１２】
【図１】図１は、Ｒｅｌ．１５におけるＤＬ  ＳＰＳ及び設定グラントタイプ２のためのアクティベーションＰＤＣＣＨの確認のための特別フィールドの一例を示す図である。
【図２】図２は、Ｒｅｌ．１５におけるＤＬ  ＳＰＳ及び設定グラントタイプ２のためのディアクティベーションＰＤＣＣＨの確認のための特別フィールドの一例を示す図である。
【図３】図３は、ＤＬ  ＳＰＳ及び設定グラントタイプ２のためのディアクティベーションＰＤＣＣＨの確認のための特別フィールドの一例を示す図である。
【図４】図４は、一実施形態に係る無線通信システムの概略構成の一例を示す図である。
【図５】図５は、一実施形態に係る基地局の構成の一例を示す図である。
【図６】図６は、一実施形態に係るユーザ端末の構成の一例を示す図である。
【図７】図７は、一実施形態に係る基地局及びユーザ端末のハードウェア構成の一例を示す図である。
【発明を実施するための形態】
【００１３】
＜動的グラントベース送信及び設定グラントベース送信（タイプ１、タイプ２）＞
ＮＲでは、動的グラントベース送信（dynamic  grant-based  transmission）及び設定グラントベース送信（configured  grant-based  transmission）が検討されている。
【００１４】
動的グラントベース送信は、下り制御情報（ＤＣＩ：Downlink  Control  Information）（ＵＬグラント）に基づく上り共有チャネル（例えば、ＰＵＳＣＨ（Physical  Uplink  Shared  Channel））を用いたＵＬ送信、又は、ＤＣＩ（ＤＬアサインメント）に基づく下り共有チャネル（例えば、ＰＤＳＣＨ（Physical  Downlink  Shared  Channel））を用いたＤＬ送信である。
【００１５】
設定グラントベース送信は、上位レイヤによって設定された構成（configuration）情報（例えば、設定グラント（configured  grant）、configured  UL  grantなどと呼ばれてもよい）に基づく上り共有チャネル（例えば、ＰＵＳＣＨ）を用いたＵＬ送信、又は、上位レイヤによって設定された構成情報（例えば、sps-config）に基づく下り共有チャネル（例えば、ＰＤＳＣＨ）を用いたＤＬ送信である。
【００１６】
設定グラントベース送信は、ＵＥに対して既にＵＬリソースが割り当てられており、ＵＥは設定されたリソースを用いて自発的にＵＬ送信できるため、低遅延通信の実現が期待できる。
【００１７】
動的グラントベース送信は、動的グラントベースＰＵＳＣＨ（dynamic  grant-based  ＰＵＳＣＨ）、動的グラントを伴うＵＬ送信（UL  Transmission  with  dynamic  grant）、動的グラントを伴うＰＵＳＣＨ（PUSCH  with  dynamic  grant）、ＵＬグラントありのＵＬ送信（UL  Transmission  with  UL  grant）、ＵＬグラントベース送信（UL  grant-based  transmission）、動的グラントによってスケジュールされる（送信リソースを設定される）ＵＬ送信などと呼ばれてもよい。
【００１８】
設定グラントベース送信は、設定グラントベースＰＵＳＣＨ（configured  grant-based  ＰＵＳＣＨ）、設定グラントを伴うＵＬ送信（UL  Transmission  with  configured  grant）、設定グラントを伴うＰＵＳＣＨ（PUSCH  with  configured  grant）、ＵＬグラントなしのＵＬ送信（UL  Transmission  without  UL  grant）、ＵＬグラントフリー送信（UL  grant-free  transmission）、設定グラントによってスケジュールされる（送信リソースを設定される）ＵＬ送信などと呼ばれてもよい。
【００１９】
また、設定グラントベースのＤＬ送信は、セミパーシステントスケジューリング（ＳＰＳ：Semi-Persistent  Scheduling）と呼ばれてもよい。また、設定グラントベースのＵＬ送信は、ＵＬ  ＳＰＳと呼ばれてもよい。本開示において、「設定グラント」は、「ＳＰＳ」、「ＳＰＳ／設定グラント」などと互いに読み替えられてもよい。
【００２０】
設定グラントベース送信については、いくつかのタイプ（タイプ１、タイプ２など）が検討されている。
【００２１】
設定グラントタイプ１送信（configured  grant  type  1  transmission、タイプ１設定グラント）用のパラメータ（設定グラントベース送信パラメータ、設定グラントパラメータ、タイプ１用設定グラントパラメータなどと呼ばれてもよい）は、下り制御情報（ＤＣＩ：Downlink  Control  Information）を用いずに、上位レイヤパラメータを用いてＵＥに設定されてもよい。
【００２２】
例えば、タイプ１設定グラントパラメータは、設定グラント設定情報（Configured  Grant  Configuration  information）（例えば、ＲＲＣ情報要素「ConfiguredGrantConfig」）及びＰＵＳＣＨ設定情報（例えば、ＲＲＣ制御要素「pusch-Config」）の少なくとも一つを用いて設定されてもよい。
【００２３】
タイプ１用の設定グラント設定情報は、設定上りグラント（Configured  Uplink  Grant）（例えば、ＲＲＣ制御要素「rrc-ConfiguredUplinkGrant」）を含んでもよい。また、当該設定グラント設定情報は、例えば、周波数ホッピング、復調用参照信号（ＤＭＲＳ）、変調符号化方式（ＭＣＳ）テーブル、トランスフォームプリコーディングの適用有無、ＨＡＲＱプロセス数、繰り返し回数、繰り返し送信で使用する冗長バージョン（ＲＶ：Redundancy  Version）系列、周期の少なくとも一つに関する情報を含んでもよい。
【００２４】
当該設定上りグラントは、例えば、時間領域オフセット、時間領域割り当て、周波数領域割り当て、アンテナポート、ＤＭＲＳの初期化、ＳＲＳ（Sounding  Reference  Signal）リソース識別子、ＭＣＳ、トランスポートブロックサイズ、周波数ホッピングオフセット、パスロス参照インデックスの少なくとも一つに関する情報を含んでもよい。
【００２５】
設定グラントタイプ２送信（configured  grant  type  2  transmission、タイプ２設定グラント）用のパラメータ（設定グラントベース送信パラメータ、設定グラントパラメータ、タイプ２用設定グラントパラメータなどと呼ばれてもよい）は、ＤＣＩ及び上位レイヤパラメータを用いてＵＥに指定されてもよい。
【００２６】
例えば、タイプ２設定グラントパラメータは、設定グラント設定情報（Configured  Grant  Configuration  information）（例えば、ＲＲＣ情報要素「ConfiguredGrantConfig」）、ＰＵＳＣＨ設定情報（例えば、ＲＲＣ制御要素「pusch-Config」）及び特定のＲＮＴＩ（例えば、ＣＳ−ＲＮＴＩ：Configured  Scheduling  Radio  Network  Temporary  Identifier）によってスクランブルされるＣＲＣ（Cyclic  Redundancy  Check）ビットを含む又は付加される（ＣＲＣスクランブルされる）ＤＣＩの少なくとも一つを用いて設定されてもよい。
【００２７】
タイプ２用の設定グラント設定情報は、上記設定上りグラント（例えば、ＲＲＣ制御要素「rrc-ConfiguredUplinkGrant」）を含まなくともよい。当該設定上りグラント内に含まれる情報の少なくとも一つは、特定のＲＮＴＩ（例えば、ＣＳ−ＲＮＴＩ）によってスクランブルされるＤＣＩに含まれてもよい。
【００２８】
また、タイプ２用の設定グラント設定情報は、例えば、周波数ホッピング、復調用参照信号（ＤＭＲＳ）、変調符号化方式（ＭＣＳ）テーブル、トランスフォームプリコーディングの適用有無、ＨＡＲＱプロセス数、繰り返し回数、繰り返し送信で使用する冗長バージョン（ＲＶ）系列、周期の少なくとも一つに関する情報を含んでもよい。
【００２９】
ＵＥは、タイプ１用の一つ又は複数の設定グラント設定情報が設定される場合、１つ又は複数の設定グラントタイプ２送信がトリガされたと判断してもよい。ＵＥは、タイプ１用の設定グラント設定情報により設定されたリソース（設定グラントリソース、送信機会（transmission  occasion）などと呼ばれてもよい）を用いて、動的グラント無しでＰＵＳＣＨ送信を制御してもよい。なお、設定グラントベース送信が設定されている場合であっても、送信バッファにデータがない場合は、ＵＥは設定グラントベース送信をスキップしてもよい。
【００３０】
ＵＥは、タイプ２用の一つ又は複数の設定グラント設定情報が設定される場合、かつ、アクティブ化用のＤＣＩを受信する場合、一つ又は複数の設定グラントタイプ２がトリガ又はアクティブ化されたと判断してもよい。当該アクティブ化用のＤＣＩは、特定のＲＮＴＩ（例えば、ＣＳ−ＲＮＴＩ）によってスクランブルされるＤＣＩ（例えば、ＤＣＩフォーマット０＿０又は０＿１）であってもよい。当該ＤＣＩは、設定グラントのディアクティブ化（deactivation）、再送などの制御に用いられてもよい。
【００３１】
例えば、ＵＥは、設定グラントタイプ２のアクティブ化用ＤＣＩを受信する場合、タイプ２用の設定グラント設定情報及び当該アクティブ化用ＤＣＩ内のパラメータ（例えば、時間領域オフセット、時間領域割り当て、周波数領域割り当て、アンテナポート、ＤＭＲＳの初期化、ＳＲＳリソース識別子、ＭＣＳ、トランスポートブロックサイズ、周波数ホッピングオフセット、パスロス参照インデックスの少なくとも一つ）により指定されるリソースを用いて、ＰＵＳＣＨ送信を制御してもよい。
【００３２】
また、ＵＥは、設定グラントタイプ２送信をディアクティブ化するＤＣＩ又は所定のタイマの満了（所定時間の経過）に基づいて、当該設定グラントタイプ２送信に対応するリソース（ＰＵＳＣＨ）を解放（リリース（release）、ディアクティベート（deactivate）などと呼ばれてもよい）してもよい。なお、設定グラントタイプ２送信がアクティブ化された（アクティブ状態である）場合であっても、送信バッファにデータがない場合は、ＵＥは設定グラントベース送信をスキップしてもよい。
【００３３】
また、設定グラントタイプ１又は２の設定に用いられるＰＵＳＣＨ設定情報は、ＰＵＳＣＨの初回データのスクランブルの用いられる識別子（dataScramblingIdentityPUSCH）、送信構成（例えば、コードブックベース、又は、非コードブックベース）、コードブックサブセット、最大ランク、ＵＣＩ  ｏｎ  ＰＵＳＣＨに関する情報、トランスフォームコリコーディングで適用する変調方式に関する情報（p-pi2BPSK）の少なくとも一つに関する情報を含んでもよい。
【００３４】
＜ＤＬ  ＳＰＳ＞
ＵＥは、例えば上位レイヤシグナリング（例えば、ＳＰＳ設定情報、SPS-Config）によって下りリンク（ＤＬ）Semi-Persistent  Scheduling（ＳＰＳ）のための周期的なリソースを設定され、ＰＤＣＣＨを用いて通知される下り制御情報（ＤＣＩ）によって、当該リソースを用いた送信及び受信の少なくとも一方をアクティベート又はリリース（ディアクティベート）されてもよい。
【００３５】
ＤＬ  ＳＰＳのアクティベーション又はディアクティベーションのためのＰＤＣＣＨ（ＤＣＩ）は、ＳＰＳ用のＲＮＴＩによってスクランブルされたＣＲＣ（Cyclic  Redundancy  Check）を有してもよい。ＳＰＳ用のＲＮＴＩは、ＣＳ−ＲＮＴＩ（Configured  Scheduling  RNTI）と呼ばれてもよい。
【００３６】
＜周波数ドメインリソース割り当て＞
ＵＥが、上位レイヤシグナリングによって、ＰＵＳＣＨに対してリソース割り当て（Resource  Allocation：ＲＡ）タイプ０のみを設定された場合、ＤＣＩフォーマット０＿１の周波数領域リソース割り当てフィールドは、所定の周波数リソース（例えば、リソースブロックグループ（ＲＢＧ））を単位とするビットマップによって表されてもよい。
【００３７】
ＵＥが、上位レイヤシグナリングによって、ＰＵＳＣＨに対してＲＡタイプ１のみを設定された場合、ＤＣＩフォーマット０＿１の周波数領域リソース割り当てフィールドは、所定の周波数リソース（例えば、ＰＲＢ）を単位として、連続する周波数リソースの開始位置及び長さを示すResource  Indication  Value（ＲＩＶ）によって表されてもよい。
【００３８】
周波数リソースの単位は、ＰＲＢ、ＲＢＧ、サブキャリアグループ（Sub-Carrier  Group：ＳＣＧ）のいずれかであってもよい。
【００３９】
ＵＥが、上位レイヤシグナリングによって、ＰＵＳＣＨに対してＲＡタイプ０及び１の間の動的切り替え（dynamic  switch）を設定された場合、ＤＣＩフォーマット０＿１における周波数領域リソース割り当てフィールドのＭＳＢ（Most  Significant  Bit）は、ＲＡタイプを示してもよい。動的切り替えが設定された状態において、周波数領域リソース割り当てフィールドのＭＳＢが０である場合、当該周波数領域リソース割り当てフィールドの残りのビットは、ＲＡタイプ０によって周波数リソースを示してもよい。動的切り替えが設定された状態において、周波数領域リソース割り当てフィールドのＭＳＢが１である場合、当該周波数領域リソース割り当てフィールドの残りのビットは、ＲＡタイプ１によって周波数リソースを示してもよい。
【００４０】
ＤＣＩフォーマット１＿１の周波数割り当てフィールドは、ＤＣＩフォーマット１＿０と同様であってもよい。ＵＥは、上位レイヤシグナリングによって、ＰＤＳＣＨに対するＲＡタイプを設定される。
【００４１】
＜アクティベーション／ディアクティベーション＞
Ｒｅｌ．１５には、ＵＥが、ＤＬ  ＳＰＳと、設定グラントタイプ２（上りリンク（ＵＬ）グラントタイプ２スケジューリング）のアクティベーションシグナリング（アクティベーションＤＣＩ）及びディアクティベーションシグナリング（ディアクティベーションＤＣＩ）を確認するための特別フィールド（special  field）が規定されている。
【００４２】
図１は、Ｒｅｌ．１５におけるＤＬ  ＳＰＳ及び設定グラントタイプ２のためのアクティベーションＰＤＣＣＨの確認のための特別フィールドの一例を示す図である。
【００４３】
ＤＬ  ＳＰＳ及び設定グラントタイプ２のアクティベーションのために、ＤＣＩフォーマット０＿０、０＿１、１＿０、１＿１のいずれかが用いられる。
【００４４】
アクティベーション用ＤＣＩの特別フィールドは、ＨＡＲＱプロセス番号（HARQ  process  number）、冗長バージョン（Redundancy  Version（ＲＶ））であってもよい。
【００４５】
特別フィールドの値は、特別値（例えば、無効値）にセットされてもよい。
【００４６】
ＨＡＲＱプロセス番号の特別値は、オール０であってもよい。ＤＣＩフォーマット０＿０、０＿１、１＿０におけるＲＶの特別値は、００であってもよい。ＤＣＩフォーマット１＿１におけるＲＶの特別値は、有効化されたトランスポートブロックに対して００であってもよい。
【００４７】
ＵＥは、図１のような特別値の特別フィールドを含むＤＣＩフォーマット０＿０、０＿１、１＿０、１＿１のいずれかを受信することによって、ＤＬ  ＳＰＳ及び設定グラントタイプ２がアクティベートされるとみなす。
【００４８】
図２は、Ｒｅｌ．１５におけるＤＬ  ＳＰＳ及び設定グラントタイプ２のためのディアクティベーションＰＤＣＣＨの確認のための特別フィールドの一例を示す図である。
【００４９】
シグナリングオーバヘッドを抑えるために、ディアクティベーションＤＣＩとしてＤＣＩフォーマット０＿０、１＿０（フォールバックＤＣＩとも呼ばれる）が用いられることが好ましい。
【００５０】
誤検出率（false  alarm  rate）を抑えるためには、アクティベーションＤＣＩ及びディアクティベーションＤＣＩの間で、少なくとも２つの特別フィールドの値が異なることが好ましい。ディアクティベーション用ＤＣＩの特別フィールドは、アクティベーションのための特別フィールドと同じ、ＨＡＲＱプロセス番号、ＲＶに加え、変調符号化方式（Modulation  and  Coding  Scheme：ＭＣＳ）、周波数ドメインリソース割り当て（frequency  domain  resource  assignment）であってもよい。
【００５１】
ＨＡＲＱプロセス番号の特別値は、オール０であってもよい。ＲＶの特別値は、００であってもよい。ＭＣＳの特別値は、オール１であってもよい。周波数ドメインリソース割り当ての特別値は、オール１であってもよい。
【００５２】
ＵＥは、図２のような特別値の特別フィールドを含むＤＣＩフォーマット０＿０、１＿０のいずれかを受信することによって、ＤＬ  ＳＰＳ及び設定グラントタイプ２がディアクティベートされるとみなす。
【００５３】
つまり、設定グラントタイプ２のアクティベーションはＤＣＩフォーマット０＿０又は０＿１によって行われるが、設定グラントタイプ２のディアクティベーションはＤＣＩフォーマット０＿０のみによって行われる。
【００５４】
ＤＣＩフォーマット１＿１、０＿１は、キャリア指示（carrier  indicator）フィールド（ＣＩＦ）、部分帯域指示（bandwidth  part（ＢＷＰ）  indicator）フィールドを含む。そのため、ＤＣＩフォーマット１＿１、０＿１を用いるＤＬ  ＳＰＳ及び設定グラントタイプ２のアクティベーションは、ＤＣＩのキャリア（コンポーネントキャリア（ＣＣ）、セル）と異なるキャリア（クロスキャリア）又はＤＣＩのＢＷＰと異なるＢＷＰ（クロスＢＷＰ）のアクティベーションをサポートする。
【００５５】
ＵＥがクロスキャリアスケジューリング及び設定グラントタイプ２を設定された場合、ＤＣＩフォーマット０＿１をアクティベーションＤＣＩとして用い、ＤＣＩフォーマット０＿１内のＣＩＦを用いることによって、クロスキャリアの設定グラントタイプ２のアクティベーションを行うことができる。例えば、スケジュールするセル（スケジューリングセル、ＤＣＩが送信されるセル）のＤＣＩフォーマット０＿１のＣＩＦが、スケジュールされるセル（スケジュールドセル、スケジュールされたデータ（ＰＵＳＣＨ又はＰＤＳＣＨ）が送信されるセル）を指定することによって、スケジュールドセルの設定グラントタイプ２をアクティベートすることができる。
【００５６】
スケジュールドセルは、スケジューリングセルを含んでもよいし（セルフキャリアスケジューリングのクロスキャリアスケジューリングのスケジュールドセルであってもよいし）、スケジューリングセルを含まなくてもよい（クロスキャリアスケジューリングのスケジュールドセルであってもよい）。
【００５７】
このように、クロスキャリアの設定グラントタイプ２がアクティベートされても、ディアクティベーションに用いられるＤＣＩフォーマット０＿０がＣＩＦを持たないため、スケジューリングセルからスケジュールドセルを指定して設定グラントタイプ２をディアクティベートすることができない。
【００５８】
同様に、ＵＥが設定グラントタイプ２を設定された場合、ＤＣＩフォーマット１＿１をアクティベーションＤＣＩとして用い、ＤＣＩフォーマット１＿１内のＢＷＰ指示フィールドを用いることによって、クロスＢＷＰの設定グラントタイプ２のアクティベーションを行うことができる。一方、ディアクティベーションに用いられるＤＣＩフォーマット０＿０がＢＷＰ指示フィールドを持たないため、スケジューリングＢＷＰからスケジュールドＢＷＰを指定して設定グラントタイプ２をディアクティベートすることができない。
【００５９】
同様に、ＵＥがクロスキャリアスケジューリング及びＤＬ  ＳＰＳを設定された場合、ＤＣＩフォーマット１＿１をアクティベーションＤＣＩとして用い、ＤＣＩフォーマット１＿１内のＣＩＦを用いることによって、クロスキャリアのＤＬ  ＳＰＳのアクティベーションを行うことができる。一方、ディアクティベーションに用いられるＤＣＩフォーマット１＿０がＣＩＦを持たないため、スケジューリングセルからスケジュールドセルを指定してＤＬ  ＳＰＳをディアクティベートすることができない。
【００６０】
同様に、ＵＥが設定グラントタイプ２を設定された場合、ＤＣＩフォーマット１＿１をアクティベーションＤＣＩとして用い、ＤＣＩフォーマット１＿１内のＢＷＰ指示フィールドを用いることによって、クロスＢＷＰのＤＬ  ＳＰＳのアクティベーションを行うことができる。一方、ディアクティベーションに用いられるＤＣＩフォーマット１＿０がＢＷＰ指示フィールドを持たないため、スケジューリングＢＷＰからスケジュールドＢＷＰを指定してＤＬ  ＳＰＳをディアクティベートすることができない。
【００６１】
このように、クロスキャリア及びクロスＢＷＰのディアクティベーションがサポートされるか、クロスキャリア及びクロスＢＷＰのディアクティベーションがどのように行われるか、が明らかでない。
【００６２】
そこで、本発明者らは、ＵＥが、第１セルにおいて第２セル又は特定ＢＷＰの設定グラントタイプ２又は下りリンクSemi-Persistent  Scheduling（ＤＬ  ＳＰＳ）の設定がアクティベートされることを指示する第１下り制御情報を受信し、第２下り制御情報を受信し、前記第２下り制御情報の特定フィールドの値に基づいて、前記設定がディアクティベートされるとみなすことを着想した。
【００６３】
以下、本開示に係る実施形態について、図面を参照して詳細に説明する。以下の各実施形態は、それぞれ単独で適用されてもよいし、組み合わせて適用されてもよい。
【００６４】
本開示において、上位レイヤシグナリングは、例えば、Radio  Resource  Control（ＲＲＣ）シグナリング、Medium  Access  Control（ＭＡＣ）シグナリング、ブロードキャスト情報などのいずれか、又はこれらの組み合わせであってもよい。
【００６５】
ＭＡＣシグナリングは、例えば、ＭＡＣ制御要素（ＭＡＣ  Control  Element（ＣＥ））、ＭＡＣ  Protocol  Data  Unit（ＰＤＵ）などを用いてもよい。ブロードキャスト情報は、例えば、マスタ情報ブロック（Master  Information  Block：ＭＩＢ）、システム情報ブロック（System  Information  Block：ＳＩＢ）、最低限のシステム情報（Remaining  Minimum  System  Information：ＲＭＳＩ）、その他のシステム情報（Other  System  Information：ＯＳＩ）などであってもよい。
【００６６】
（無線通信方法）
＜実施形態１＞
ＵＥは、ＣＩＦ及びＢＷＰ指示フィールドの少なくとも１つを含むＤＣＩフォーマット（ＤＣＩフォーマット０＿１又は１＿１）によって、設定グラントタイプ２又はＤＬ  ＳＰＳのディアクティベーションを指示されてもよい。
【００６７】
ディアクティベーション用のＤＣＩフォーマット０＿１及び１＿１のそれぞれにおいて、特別フィールドが特別値を示してもよい。
【００６８】
図３は、ＤＬ  ＳＰＳ及び設定グラントタイプ２のためのディアクティベーションＰＤＣＣＨの確認のための特別フィールドの一例を示す図である。
【００６９】
ＤＣＩフォーマット０＿１及び１＿１における特別フィールドは、ＨＡＲＱプロセス番号、ＲＶ、ＭＣＳ、周波数ドメインリソース割り当て、の少なくとも１つを含んでもよい。
【００７０】
ＨＡＲＱプロセス番号の特別値は、オール０であってもよい。ＲＶの特別値は、００であってもよい。ＭＣＳの特別値は、オール１であってもよい。
【００７１】
周波数ドメインリソース割り当ての特別値は、ＲＡタイプに基づいてもよい。
【００７２】
ＵＥが、上位レイヤシグナリングによってＰＵＳＣＨ（設定グラントタイプ２）又はＰＤＳＣＨ（ＤＬ  ＳＰＳ）に対してＲＡタイプ０のみを設定された場合、ディアクティベーション用のＤＣＩフォーマット０＿１又は１＿１における周波数領域リソース割り当てフィールドは、当該フィールドを構成する全てのビットが「０」に設定されてもよい。なお、ＲＡタイプ０のみが設定された場合において、データスケジューリング又はアクティベーションのためのＤＣＩフォーマット０＿１又は１＿１の周波数領域リソース割り当てフィールドの全てのビットが、全て「０」に設定されることはない。
【００７３】
ＵＥが、上位レイヤシグナリングによってＰＵＳＣＨ（設定グラントタイプ２）又はＰＤＳＣＨ（ＤＬ  ＳＰＳ）に対してＲＡタイプ１のみを設定された場合、ディアクティベーション用のＤＣＩフォーマット０＿１又は１＿１における周波数領域リソース割り当てフィールドは、全て「１」に設定されてもよい。なお、ＲＡタイプ１のみが設定された場合において、データスケジューリング又はアクティベーションのためのＤＣＩフォーマット０＿１又は１＿１の周波数領域リソース割り当てフィールドの全てのビットが、全て「１」に設定されることはない。
【００７４】
ＵＥが、上位レイヤシグナリングによってＰＵＳＣＨ（設定グラントタイプ２）又はＰＤＳＣＨ（ＤＬ  ＳＰＳ）に対してＲＡタイプ０及びＲＡタイプ１の間の動的切り替えを設定し、且つ、ディアクティベーション用のＤＣＩフォーマット０＿１又は１＿１における周波数領域リソース割り当てフィールドのＭＳＢが０に設定された場合、当該周波数領域リソース割り当てフィールドの残りのビットは全て「０」に設定されてもよい。なお、動的切り替えが設定され、且つＤＣＩフォーマット０＿１又は１＿１における周波数領域リソース割り当てフィールドのＭＳＢが０に設定された場合において、データスケジューリング又はアクティベーションのためのＤＣＩフォーマット０＿１又は１＿１の周波数領域リソース割り当てフィールドのビットが、全て「０」に設定されることはない。
【００７５】
ＵＥが、上位レイヤシグナリングによってＰＵＳＣＨ（設定グラントタイプ２）又はＰＤＳＣＨ（ＤＬ  ＳＰＳ）に対して動的切り替えを設定し、且つディアクティベーション用のＤＣＩフォーマット０＿１又は１＿１における周波数領域リソース割り当てフィールドのＭＳＢが１に設定された場合、当該周波数領域リソース割り当ての残りのビットは全て「１」に設定されてもよい。なお、動的切り替えが設定され、且つＤＣＩフォーマット０＿１又は１＿１における周波数領域リソース割り当てフィールドのＭＳＢが１に設定された場合において、データスケジューリング又はアクティベーションのためのＤＣＩフォーマット０＿１又は１＿１の周波数領域リソース割り当てフィールドのビットが全て「１」に設定されることはない。
【００７６】
ＵＥは、ＤＣＩフォーマット０＿１又は１＿１の特別フィールドが特別値である場合に、ディアクティベーションＤＣＩであるとみなし（consider）てもよい。ディアクティベーションＤＣＩを受信した場合の動作を以下に説明する。
【００７７】
《設定グラントタイプ２》
ＵＥは、クロスキャリアスケジューリングを設定され、且つ少なくとも１つのスケジュールドセルに対して設定グラントタイプ２を設定され、且つ当該設定グラントタイプ２がアクティベートされた状態において、スケジューリングセルにおいてディアクティベーション用のＤＣＩフォーマット０＿１を受信した場合、当該ＤＣＩ内のＣＩＦによって指示されたスケジュールドセルの設定グラントタイプ２がディアクティベートされるとみなしてもよい。
【００７８】
ＵＥは、少なくとも１つのＢＷＰに対して設定グラントタイプ２を設定され、且つ当該設定グラントタイプ２がアクティベートされた状態において、ディアクティベーション用のＤＣＩフォーマット０＿１を受信した場合、当該ＤＣＩ内のＢＷＰ指示フィールドによって指示されたＢＷＰの設定グラントタイプ２がディアクティベートされるとみなしてもよい。
【００７９】
《ＤＬ  ＳＰＳ》
ＵＥは、クロスキャリアスケジューリングを設定され、且つ少なくとも１つのスケジュールドセルに対してＤＬ  ＳＰＳを設定され、且つ当該ＤＬ  ＳＰＳがアクティベートされた状態において、スケジューリングセルにおいてディアクティベーション用のＤＣＩフォーマット１＿１を受信した場合、当該ＤＣＩ内のＣＩＦによって指示されたスケジュールドセルの設定グラントタイプ２がディアクティベートされるとみなしてもよい。
【００８０】
ＵＥは、少なくとも１つのＢＷＰに対してＤＬ  ＳＰＳを設定され、且つ当該ＤＬ  ＳＰＳがアクティベートされた状態において、ディアクティベーション用のＤＣＩフォーマット１＿１を受信した場合、当該ＤＣＩ内のＢＷＰ指示フィールドによって指示されたＢＷＰのＤＬ  ＳＰＳがディアクティベートされるとみなしてもよい。
【００８１】
以上の実施形態１によれば、設定グラントタイプ２又はＤＬ  ＳＰＳに対し、クロスキャリア及びクロスＢＷＰの少なくとも１つのディアクティベーションを行うことができる。
【００８２】
＜実施形態２＞
１つのセルにおける１つのＤＣＩフォーマット０＿０又は１＿０が、当該セルからスケジュールされ得るスケジュールドセル及びＢＷＰの少なくとも１つにおける設定グラントタイプ２又ＤＬ  ＳＰＳをディアクティベートしてもよい。
【００８３】
ディアクティベーション用のＤＣＩフォーマット０＿０又は１＿０の特別フィールドは、図２の特別値を有してもよい。
【００８４】
《設定グラントタイプ２》
ＵＥは、クロスキャリアスケジューリングを設定され、且つ少なくとも１つのスケジュールドセルに対して設定グラントタイプ２を設定され、且つ当該設定グラントタイプ２がアクティベートされた状態において、スケジューリングセルにおいてディアクティベーション用のＤＣＩフォーマット０＿０を受信した場合、当該スケジューリングセルからスケジュールされ得る全てのスケジュールドセルの設定グラントタイプ２がディアクティベートされるとみなしてもよい。
【００８５】
ＵＥは、少なくとも１つのＢＷＰに対して設定グラントタイプ２を設定され、且つ当該設定グラントタイプ２がアクティベートされた状態において、ディアクティベーション用のＤＣＩフォーマット０＿０を受信した場合、全てのＢＷＰの設定グラントタイプ２がディアクティベートされるとみなしてもよい。
【００８６】
《ＤＬ  ＳＰＳ》
ＵＥは、クロスキャリアスケジューリングを設定され、且つ少なくとも１つのスケジュールドセルに対してＤＬ  ＳＰＳを設定され、且つ当該ＤＬ  ＳＰＳがアクティベートされた状態において、スケジューリングセルにおいてディアクティベーション用のＤＣＩフォーマット１＿０を受信した場合、当該スケジューリングセルからスケジュールされ得る全てのスケジュールドセルのＤＬ  ＳＰＳがディアクティベートされるとみなしてもよい。
【００８７】
ＵＥは、少なくとも１つのＢＷＰに対してＤＬ  ＳＰＳを設定され、且つ当該ＤＬ  ＳＰＳがアクティベートされた状態において、ディアクティベーション用のＤＣＩフォーマット１＿０を受信した場合、全てのＢＷＰのＤＬ  ＳＰＳがディアクティベートされるとみなしてもよい。
【００８８】
以上の実施形態２によれば、設定グラントタイプ２又はＤＬ  ＳＰＳに対し、クロスキャリア及びクロスＢＷＰの少なくとも１つのディアクティベーションを行うことができる。また、ディアクティベーションにＤＣＩフォーマット０＿０又は１＿０を用いることによってシグナリングオーバヘッドを抑えることができる。
【００８９】
＜実施形態３＞
設定グラントタイプ２又はＤＬ  ＳＰＳを設定されるスケジュールドセル又は１つのＢＷＰの最大数が１に制限されてもよい。ＤＣＩフォーマット０＿０又は１＿０は、１つのスケジュールドセル又は１つのＢＷＰの設定グラントタイプ２又はＤＬ  ＳＰＳをディアクティベートしてもよい。
【００９０】
ディアクティベーション用のＤＣＩフォーマット０＿０又は１＿０の特別フィールドは、図２の特別値を有してもよい。
【００９１】
《設定グラントタイプ２》
ＵＥは、クロスキャリアスケジューリングを設定された場合、１つのスケジューリングセルからスケジューリングし得るセル（スケジュールドセル）の中で、多くとも１つのスケジュールドセルに対して設定グラントタイプ２を設定されると想定（assume）してもよい。
【００９２】
ＵＥは、クロスキャリアスケジューリングを設定され、且つ１つのスケジュールドセルに対して設定グラントタイプ２を設定され、且つ当該設定グラントタイプ２がアクティベートされた状態において、ディアクティベーション用のＤＣＩフォーマット０＿０を受信した場合、当該スケジュールドセルに設定された設定グラントタイプ２がディアクティベートされるとみなしてもよい。
【００９３】
ＵＥは、多くとも１つのＢＷＰに対して設定グラントタイプ２を設定されると想定してもよい。
【００９４】
ＵＥは、１つのＢＷＰに対して設定グラントタイプ２を設定され、且つ当該設定グラントタイプ２がアクティベートされた状態において、ディアクティベーション用のＤＣＩフォーマット０＿０を受信した場合、当該ＢＷＰに設定された設定グラントタイプ２がディアクティベートされるとみなしてもよい。
【００９５】
《ＤＬ  ＳＰＳ》
ＵＥは、クロスキャリアスケジューリングを設定された場合、１つのスケジューリングセルからスケジューリングし得るセル（スケジュールドセル）の中で、多くとも１つのスケジュールドセルに対してＤＬ  ＳＰＳを設定されると想定してもよい。
【００９６】
ＵＥは、クロスキャリアスケジューリングを設定され、且つ１つのスケジュールドセルに対してＤＬ  ＳＰＳを設定され、当該ＤＬ  ＳＰＳがアクティベートされた状態において、ディアクティベーション用のＤＣＩフォーマット１＿０を受信した場合、当該スケジュールドセルに設定されたＤＬ  ＳＰＳがディアクティベートされるとみなしてもよい。
【００９７】
ＵＥは、多くとも１つのＢＷＰに対してＤＬ  ＳＰＳを設定されると想定してもよい。
【００９８】
ＵＥは、１つのＢＷＰに対してＤＬ  ＳＰＳを設定され、当該ＤＬ  ＳＰＳがアクティベートされた状態において、ディアクティベーション用のＤＣＩフォーマット１＿０を受信した場合、当該ＢＷＰに設定されたＤＬ  ＳＰＳがディアクティベートされるとみなしてもよい。
【００９９】
以上の実施形態３によれば、設定グラントタイプ２又はＤＬ  ＳＰＳに対し、クロスキャリア及びクロスＢＷＰの少なくとも１つのディアクティベーションを行うことができる。また、ディアクティベーションにＤＣＩフォーマット０＿０又は１＿０を用いることによってシグナリングオーバヘッドを抑えることができる。
【０１００】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１０１】
図４は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【０１０２】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【０１０３】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１０４】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０１０５】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１０６】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０１０７】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１０８】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０１０９】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０１１０】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１１１】
ユーザ端末２０は、ＬＴＥ、ＬＴＥ−Ａ、５Ｇなどの通信方式の少なくとも１つに対応した端末であってもよい。
【０１１２】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１１３】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１１４】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１１５】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１１６】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１１７】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１１８】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１１９】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１２０】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１２１】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１２２】
なお、本開示において下りリンク、上りリンクなどは「リンク」を付けずに表現されてもよい。また、各種チャネルの先頭に「物理（Physical）」を付けずに表現されてもよい。
【０１２３】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１２４】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１２５】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１２６】
（基地局）
図５は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１２７】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１２８】
制御部１１０は、基地局１０全体の制御を実施する。制御部１１０は、本開示に係る技術分野での共通認識に基づいて説明されるコントローラ、制御回路などから構成することができる。
【０１２９】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１３０】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１３１】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１３２】
送受信アンテナ１３０は、本開示に係る技術分野での共通認識に基づいて説明されるアンテナ、例えばアレイアンテナなどから構成することができる。
【０１３３】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１３４】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１３５】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０１３６】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０１３７】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１３８】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１３９】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１４０】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０１４１】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１４２】
なお、本開示における基地局１０の送信部及び受信部は、送受信部１２０及び送受信アンテナ１３０の少なくとも１つによって構成されてもよい。
【０１４３】
（ユーザ端末）
図６は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１４４】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１４５】
制御部２１０は、ユーザ端末２０全体の制御を実施する。制御部２１０は、本開示に係る技術分野での共通認識に基づいて説明されるコントローラ、制御回路などから構成することができる。
【０１４６】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１４７】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１４８】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１４９】
送受信アンテナ２３０は、本開示に係る技術分野での共通認識に基づいて説明されるアンテナ、例えばアレイアンテナなどから構成することができる。
【０１５０】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１５１】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１５２】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１５３】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１５４】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１５５】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１５６】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１５７】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１５８】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１５９】
なお、本開示におけるユーザ端末２０の送信部及び受信部は、送受信部２２０、送受信アンテナ２３０及び伝送路インターフェース２４０の少なくとも１つによって構成されてもよい。
【０１６０】
また、送受信部２２０は、第１セル（スケジューリングセル）において第２セル（スケジュールドセル）又は特定Bandwidth  Part（ＢＷＰ）の設定グラントタイプ２又は下りリンクSemi-Persistent  Scheduling（ＤＬ  ＳＰＳ）の設定がアクティベートされることを指示する第１下り制御情報を受信し、第２下り制御情報を受信してもよい。制御部２１０は、前記第２下り制御情報の特定フィールド（例えば、特別フィールド、キャリア指示フィールド、ＢＷＰ指示フィールドなど）の値に基づいて、前記設定がディアクティベートされるとみなしてもよい。
【０１６１】
前記第２下り制御情報は、キャリア指示フィールド及びＢＷＰ指示フィールドの少なくとも１つを含んでもよい（実施形態１）。
【０１６２】
前記制御部２１０は、前記特定フィールドの値が特別値である場合、前記設定がディアクティベートされるとみなしてもよい。前記特定フィールドは、周波数ドメインリソース割り当てフィールドを含んでもよい。前記周波数ドメインリソース割り当てフィールドの特別値は、上位レイヤシグナリングによって設定されるリソース割り当てタイプに基づいてもよい。
【０１６３】
前記第２下り制御情報は、キャリア指示フィールド及びＢＷＰ指示フィールドを含まなくてもよい。前記制御部２１０は、スケジュールされ得る全てのセル又はスケジュールされ得る全てのＢＷＰにおける前記設定がディアクティベートされるとみなしてもよい（実施形態２）。
【０１６４】
前記第２下り制御情報は、キャリア指示フィールド及びＢＷＰ指示フィールドを含まなくてもよい。前記制御部２１０は、多くとも１つのセル又は多くとも１つのＢＷＰに対して前記設定が行われると想定してもよい（実施形態３）。
【０１６５】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１６６】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１６７】
例えば、本開示の一実施形態における基地局、ユーザ端末などは、本開示の無線通信方法の処理を行うコンピュータとして機能してもよい。図７は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１６８】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１６９】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１７０】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１７１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０１７２】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１７３】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１７４】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７５】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１７６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０１７７】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１７８】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１７９】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０１８０】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１８１】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１８２】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０１８３】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１８４】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１８５】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８６】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８７】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１８８】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８９】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１９０】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９１】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１９２】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１９３】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０１９４】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０１９５】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１９６】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０１９７】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１９８】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０１９９】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２００】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０２０１】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０２】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２０３】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２０４】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０２０５】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０２０６】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２０７】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２０８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０９】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２１０】
本開示において使用する「システム」及び「ネットワーク」という用語は、互換的に使用され得る。「ネットワーク」は、ネットワークに含まれる装置（例えば、基地局）のことを意味してもよい。
【０２１１】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２１２】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２１３】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２１４】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２１５】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１６】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０２１７】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２１８】
同様に、本開示におけるユーザ端末は、基地局で読み替えてもよい。この場合、上述のユーザ端末２０が有する機能を基地局１０が有する構成としてもよい。
【０２１９】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０２２０】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２２１】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２２２】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２３】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２２４】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２２５】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２２６】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２７】
また、「判断（決定）」は、「想定する（assuming）」、「期待する（expecting）」、「みなす（considering）」などで読み替えられてもよい。
【０２２８】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２２９】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２３０】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２３１】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２３２】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２３３】
本開示において、例えば、英語でのa,  an及びtheのように、翻訳によって冠詞が追加された場合、本開示は、これらの冠詞の後に続く名詞が複数形であることを含んでもよい。
【０２３４】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020144869.tif 000003
【図２】
2020144869.tif 000004
【図３】
2020144869.tif 000005
【図４】
2020144869.tif 000006
【図５】
2020144869.tif 000007
【図６】
2020144869.tif 000008
【図７】
2020144869.tif 000009
【国際調査報告】
2020144869.tif 000010
2020144869.tif 000011